(57)【要約】【課題】室内扉の横方向から表示部材を見ても、表示錠が施錠状態か否か一瞥することができること。【解決手段】室内側から操作部材を操作すると、扉の外壁面の取付けベース板に配設された表示部材が、その可動識別手段により施錠状態か否かを表示する室内扉用表示錠に於いて、表示部材は、少なくとも、固定板と、この固定板に接合するように該固定板の一側面に設けられた回動板と、回動板又は固定板のいずれかに形成さたれ制御兼表示窓に自在に係脱しかつ固定板又は回動板のいずれかに形成された案内部に設けられた可動識別手段とから成り、回動板が操作部材の操作力により連結軸を介して所定量回転すると、可動識別手段の可動識別子が制御兼表示窓に係入して、その先端部が制御兼表示窓から若干突出するように連結軸の方向に位置変位すること。【選択図】図１
2011084901.tif 000002
【特許請求の範囲】
【請求項１】
室内側から操作部材を操作すると、扉の外壁面の取付けベース板に配設された表示部材が、その可動識別手段により施錠状態か否かを表示する室内扉用表示錠に於いて、前記表示部材は、少なくとも、固定板と、この固定板に接合するように該固定板の一側面に設けられた回動板と、前記回動板又は固定板のいずれかに形成さたれ制御兼表示窓に自在に係脱しかつ前記固定板又は回動板のいずれかに形成された案内部に設けられた前記可動識別手段とから成り、前記回動板が前記操作部材の操作力により連結軸を介して所定量回転すると、前記可動識別手段の可動識別子が前記制御兼表示窓に係入して、その先端部が前記制御兼表示窓から若干突出するように前記連結軸の方向に位置変位する室内扉用表示錠。
【請求項２】
請求項１に於いて、制御兼表示窓は一つであり、一方、案内部は、固定板又は回動板の軸孔を基準としてその同心円状に所定間隔離間して複数個形成されていることを特徴とする室内扉用表示錠。
【請求項３】
請求項１に於いて、表示部材には、さらに、固定板及び回動板を包む円筒形の透明カバーが含まれていることを特徴とする室内扉用表示錠。
【請求項４】
請求項１に於いて、可動識別手段は、付勢バネと、該付勢バネのバネ力により、常時、連結軸の軸芯外方向に付勢され、かつ、後端部にフランジを有すると共に、先端部が曲面状の可動識別子とから成ることを特徴とする室内扉用表示錠。
【発明の詳細な説明】
【技術分野】
【０００１】
本発明は、可動識別手段によって「施錠状態か否か」を視覚に訴える室内扉用表示錠に関する。
【背景技術】
【０００２】
特許文献１及び特許文献２には、室内側から操作部材を操作すると、扉の外壁面の取付けベース板に配設された表示部材が、その可動識別手段により施錠状態か否かを表示する室内扉用表示錠が記載されている。
【０００３】
これらの表示錠に利用されている表示部材は、例えば、その表面に施錠状態か否かを表示する識別標識が付された「表示プレート」と称される円形の薄い回転板なので、室内扉を開けようとする人が、表示部材の前に立たなくては、表示錠が施錠状態か否か判別することができない。
【０００４】
付言すると、室外側から室内扉の横方向（例えば室内扉の外壁面に対して斜めの方向）から表示部材を見ても、表示錠が施錠状態か否か一瞥することができない、という問題点があった。
【先行技術文献】
【特許文献】
【０００５】
【特許文献１】特開平１０−８２２１９号
【特許文献２】特開２００８−１９０２２６号
【発明の概要】
【発明が解決しようとする課題】
【０００６】
本発明の所期の目的は、室内扉を開けようとする人が、必ずしも表示部材の前に立たなくても、室内扉の横方向（例えば室内扉の外壁面に対して斜めの方向）から表示部材を見ても、表示錠が施錠状態か否か一瞥することができることである。第２の目的は、表示部材を構成する一枚の回動板又は固定板のいずれかに「目隠し機能」と「制御機能」を付与し、該回動板の回動位置如何によって、施錠状態を示す可動識別子か又は解錠状態を示す可動識別子のいずれかが、回動板又は固定板の一つの制御兼表示窓に現れることである。第３の目的は、外観上の美観を維持することができると共に、表示部材が破損しないようにすることである。その他可動識別子がスムースに進退動すること等である。
【課題を解決するための手段】
【０００７】
本発明は、室内側から操作部材を操作すると、扉の外壁面の取付けベース板に配設された表示部材が、その可動識別手段により施錠状態か否かを表示する室内扉用表示錠に於いて、前記表示部材は、少なくとも、固定板と、この固定板に接合するように該固定板の一側面に設けられた回動板と、前記回動板又は固定板のいずれかに形成さたれ制御兼表示窓に自在に係脱しかつ前記固定板又は回動板のいずれかに形成された案内部に設けられた前記可動識別手段とから成り、前記回動板が前記操作部材の操作力により連結軸を介して所定量回転すると、前記可動識別手段の可動識別子が前記制御兼表示窓に係入して、その先端部が前記制御兼表示窓から若干突出するように前記連結軸の方向に位置変位する。
【０００８】
上記構成に於いて、制御兼表示窓は一つであり、一方、案内部は、固定板又は回動板の軸孔を基準としてその同心円状に所定間隔離間して複数個形成されていることを特徴とする。また、表示部材には、さらに、固定板及び回動板を包む円筒形の透明カバーが含まれていることを特徴とする。さらに、可動識別手段は、付勢バネと、該付勢バネのバネ力により、常時、連結軸の軸芯外方向に付勢され、かつ、後端部にフランジを有すると共に、先端部が曲面状の可動識別子とから成ることを特徴とする。
【発明の効果】
【０００９】
（ａ）例えば可動識別手段の可動識別子が回動板の制御兼表示窓に係入して、その先端部が前記制御兼表示窓から若干突出するので、室内扉を開けようとする人が、必ずしも表示部材の前に立たなくても、室内扉の横方向から表示部材を見ても、表示錠が施錠状態か否か一瞥することができる。
（ｂ）請求項２に記載の発明は、案内部が固定板又は回動板の軸孔を基準としてその同心円状に所定間隔離間して複数個形成されているので、これらの案内部に施錠状態を示す可動識別子と解錠状態を示す可動識別子をそれぞれ組込み、回動板に「目隠し機能」と「制御機能」を付与することができる。
（ｃ）請求項３に記載の発明は、表示部材の構成に円筒形の透明カバーが含まれているので、外観上の美観を維持することができると共に、表示部材が破損しないようにすることができる。
（ｄ）請求項４に記載の発明は、可動識別子がスムースに進退動する。
【図面の簡単な説明】
【００１０】
図１乃至図９は本発明の一例を示す各説明図。
【図１】第１実施例の実施環境を示す概略断面説明図。
【図２】第１実施例の分解斜視図。
【図３】要部（取付けベース板）の説明図。
【図４】表示部材等の説明図。
【図５】表示部材の概略説明図。
【図６】可動識別子の斜視図。
【図７】主要部の概略断面説明図。
【図８】回動板の正面視からの作用の説明図。
【図９】可動識別手段の作用の説明図。
【図１０】第２実施例の実施環境を示す概略断面説明図。
【図１１】第３実施例の実施環境を示す概略断面説明図。
【図１２】第３実施例の分解斜視図。
【発明を実施するための最良の形態】
【００１１】
Ｘは室内扉用表示錠である。１は、普通一般の室内のトイレの扉、個室等の室内扉である。ここでの「室内扉」には、レバーハンドル、サムターン等の操作部材によって回転する回転式のもののみならず、引手によって移動する引戸も含まれる。周知のように、室内扉１の自由端部側には錠機構を有する錠箱２が埋め込まれ、例えば室内側の操作部材３を操作すると、前記錠機構を構成する図示しない施錠片（ラッチボルトやデッドボルト）が出没する。本実施例では、室内側の操作部材３を操作すると、室内側の表示部材１１を構成する回動板２１が所定方向に所定量（所定角度まで）回動し、施錠状態又は解錠状態を表示する可動識別手段３１が後述の筒状透明カバー４１の頂面（前壁）４１ａ方向へ位置変位する。
【００１２】
まず、室内扉１の外壁面１ａに固定手段４を介して取付けられる取付けベース板５について説明する。固定手段４は取付けベース板５を前記外壁面１ａに固着する一例であるから、図示したものに限定されない。本実施例では、取付けベース板５の円盤状ベース部５ａの裏面から室内扉１の厚み方向に延びる一対の取付け菅５ｂ、５ｂと、これらの取付け管の挿入先端部に形成されたメネジに室内扉１の内壁面１ｂ側からねじ込まれて螺着する複数のネジ（固着具６）とから成る。取付けベース板５が前記取付け管５ｂ、５ｂを有してない場合は、前記ベース部５ａの表面に横向き凹所を形成し、この凹所内に固着具の頭部が位置するようにして、室内扉１の外壁面１ａ側から取付けベース板５を固定することもできる。なお、取付けベース板５は、その中心部に軸用孔７を有すると共に、該軸用孔７の左右又は上下に一対のネジ穴８、８を備えている。
【００１３】
次に、表示部材１１について説明する。表示部材１１は、例えば図１及び図２で示すように、取付けベース板５のベース部５ａの前面に垂直状態に固定される円盤状の固定板１２と、この固定板１２の前面（一側面）に垂直状態に接合する円形の回動板２１と、この回動板２１に形成された制御兼表示窓２２に自在に係脱し、かつ、前記固定板１２に形成された切欠状の案内部１３に進退動自在に組み込まれた可動識別手段３１と、さらに、本実施例では、その外周壁の内端部に前記取付けベース板５のベース部５ａの外周壁に形成した切欠溝（被係合部分）に係合す複数の係合爪（係合部分）４５を有すると共に、前述した固定板１２及び回動板２１を全体的の包む円筒形の透明カバー４１とから構成されている。
【００１４】
さて、固定板１２は、図２で示すように、所定厚の盤状体であり、その前面に浅い凹部１２ａが形成されている。切欠状の案内部１３は、中心部の軸用孔１４を基準として、その円心円状に所定間隔離間して２個（複数）が形成されている。これらの案内部１３は１個でも良いが、実施例では表示錠の状態が直ぐに判るように、後述の施錠状態を示す可動識別子３３と解錠状態を示す識別子３４用に合計２個設けられている。案内部１３の外観形状は、特に問わないが、本実施例では、例えば図２で示すようにやや円弧状の長孔であり、また、その断面は段差状に形成されている。付言すると、案内部１３は、図４及び図７で示すように大径収納部１３ａと、この大径収納部１３ａ及び前述した浅い凹所１２ａにそれぞれ連通する小径収納部１３ｂとから成る。さらに、固定板１２は、軸用孔１４の左右又は上下に浅い凹所１２ａの内壁前面（前壁）から後端面１２ｂに至るまで貫通小孔１５を有する。固定板１２は、例えば前記貫通小孔１５、１５を貫通し、かつ、前述した取付けベース板５のネジ穴８、８に螺合する複数個の固着具（固定板用固定手段）１６を介して前記取付けベース板５のベース部５ａの前面に一体的に接合固定される。
【００１５】
次に、回動板２１は、固定板１２の一側壁に回動自在に設けられているが、本実施例では固定板１２の前面凹所１２ａ内に略収まるように配設される。回動板２１は、樹脂製で、薄い円形板状をなし、中心に異径（例えばＤ型）の嵌合孔（取付け孔）２３を有している。この嵌合孔２３は、前述した軸用孔７、１４と符合する。
【００１６】
しかして、制御兼表示窓２２は、固定板１２の案内部１３、１３に対して選択的に連通することができるように、しかも前記嵌合孔２３を基準として、該嵌合孔２３の円心円上に弧状に１個形成されている。本実施例では、操作部材３側の連結軸９の先端部に解錠用操作軸１０が一体的に結合するが、円形の回動板２１は前記連結軸９に直接又は間接的に取付けられる。したがって、回動板２１は室内側の操作部材３の操作力により連結軸９を介して所定量回転する。
【００１７】
次に、一対の可動識別手段３１、３１は、図２で示すように、それぞれ付勢バネ３２、３２と、これらの付勢バネにより、常時、連結軸９の軸芯外方向に付勢され、かつ、後端部にフランジを有する可動識別子３３、３４とから成る。例えば図７で示すように、可動識別子３３（３４）は、付勢バネ３２の先端部を受ける断面凹所型のバネ端受け入れ部分が形成されたフランジ３３ａ（３４ａ）と、このフランジ３３ａの前面から突出する青、赤等の識別部分３３ｂ（３４ｂ）とから成る。ここでは、例えば赤色の識別部分３３ｂを有する可動識別子３３を「施錠状態」、一方、青色の識別部分３４ｂを有する可動識別子３４を「解錠状態」とする。
【００１８】
回動板２１が時計方向又は反時計方向へと所定量回動すると、これらの可動識別子３３、３４は、目隠し機能・制御機能を有する回動板２１によって前後に位置変位し、その一方が回動板２１の制御兼表示窓２２に係入すると、その他方は回動板２１の裏側に遮蔽される。したがって、回動板２１の制御兼表示窓２２に現れた可動識別子３３（又は３４）が表示錠Ｘの状態を表すことになる。
【００１９】
最終に、透明カバー４１は、前述したように固定板１２及び回動板２１を含む円筒体である。この筒状の透明カバー４１の前壁（頂面）４１ａの中心部には角形又は異径の嵌合孔（取付け孔）４２が形成されている。この嵌合孔４２には、鍔部１０ａの前面に操作部１０ｂを有する共に、前記鍔部１０ａの後面に連結軸９の先端部に外嵌合する嵌合部１０ｃを有する解錠用操作軸１０が嵌め込まれる。本実施例では、前記鍔部１０ａは回動板２１が固定板１２から外れないように係止している。
【００２０】
しかして、筒状透明カバー４１の前壁４１ａの内壁面には、前記嵌合孔４２を基準として、該嵌合孔４２の同心円上に所定間隔離間して、２個の受け入れ凹所４３、４４が形成されている。これらの受け入れ凹所４３、４４は、前述した可動識別手段３１の可動識別子３３、３４が、回動板２１の制御兼表示窓２２に係入した際、その先端部が前記制御兼表示窓２２から若干突出することを許容する。
【００２１】
したがって、これらの受け入れの凹所４３、４４は、貫通孔であっても良い。また、筒状透明カバー４１の周壁４１ｂの端部には、取付けベース板５の不番の被係合部に係合する爪状係合部４５が複数個形成されている。なお、例えば図１に於いて、符号４７は室内扉１の内壁面１ｂ側に固定された固定筒、４８は固定筒４７内に設けられたサムターン駆動部材である。
【００２２】
図５は、本実施例の表示部１１が、「筒状透明カバー４１」と、この筒状透明カバー４１に包まれる「円形の回動板２１」及び「円盤状固定板１２」と、前記回動板２１の制御兼表示窓２２によって制御され、該回動板２１が所定位置にて停止すると、前記制御兼表示窓２２に選択的に係入して現れる「可動識別手段３１」とから成ることを示している。
【００２３】
また、図６は、可動識別手段３１を構成する可動識別子３３（３４）は、回動板２１の制御兼表示窓２２に係脱するので、該係脱がスムースになるように先端部分が曲面状（アール）になっていることを示している。
【００２４】
さらに、図８は、室内側の操作部材又は解錠用操作軸１０の操作力によって回動板２１が反時計方向（矢印）方向へ所定量回転して、施錠状態を示す可動識別子３３から解錠状態を示す可動識別子３４に入れ替わったことを示す。付言すると、表示錠Ｘが施錠状態の時は、回動板２１の制御兼表示窓２２に赤色の可動識別子３３が多少突出するように係入しているが、回動板２１が回転して前記制御兼表示窓２２の位置が周方向へ位置変位すると、所定の停止位置にて、今度は青色の可動識別子３４が制御兼表示窓２２に入り込む。
【００２５】
図９は、回動板２１が回転すると、該回動板の制御兼表示窓２２の縁部に押圧される可動識別子３３（３４）が付勢バネ３２のバネ力に抗して後退することを示す。      
【実施例】
【００２６】
この欄では、第１実施例（図１乃至図９）と異なる実施例について説明する。なお、同一の部分には同一の符号を付して重複する説明を割愛する。まず、図１０は第２実施例の実施環境を示す概略断面説明図である。この第２実施例は、第１実施例の筒状透明カバー４１を有しない点である。したがって、取付けベース板５Ａの外周壁には、筒状透明カバー４１の爪状係合部が係合する切欠状の被係合部も存在しない。
【００２７】
次に、図１１及び図１２は第３実施例を示す各説明図である。第３実施例は、基本的には、（ａ）第１実施例の固定板が回動板２１Ｂになったのに対して、第１実施例の回動板が固定板１２Ｂになった点、（ｂ）第１実施例では、回動板２１が固定板１２の前面に位置しているのに対して、第３実施例では、固定板１２Ｂが回動板２１Ｂの前面に位置している点、（ｃ）したがって、第３実施例では、回動板２１Ｂの方に複数個の案内部１３Ｂ、１３Ｂが形成されている点、（ｄ）第３実施例では、固定板１２Ｂに制御兼表示窓２２Ｂが形成されている点、（ｅ）第３実施例では、回動板２１Ｂと固定板１２Ｂが入れ替わったために、軸用孔２３Ｂ、１４Ｂも入れ替わっている点、（ｆ）第３実施例では、固定板１２Ｂが回動板２１Ｂの前面に位置していることから、固定板１２Ｂが取付けベース板５Ｂにではなく、筒状透明カバー４１Ｂに対して、回り止め手段（例えば係合突起１６Ｂと被係合突起８Ｂなど）を設けた点、（ｇ）筒状透明カバー４１Ｂに設けた受け入れ凹所４３Ｂが一つで十分である点である。なお、第３実施例に於いて、前記筒状透明カバー４１Ｂと固定板１２Ｂは、ニ物品ではなく、前部透明部分と後部不透明部分とを有する一つの物品から構成されていても良い。
【００２８】
したがって、本発明の室内扉用表示錠Ｘは、室内側から操作部材を操作すると、扉の外壁面の取付けベース板に配設された表示部材１１（１１Ａ、１１Ｂ）が、その可動識別手段により施錠状態か否かを表示する室内扉用表示錠に於いて、前記表示部材１１（１１Ａ、１１Ｂ）は、少なくとも、固定板と、この固定板に接合するように該固定板の一側面に設けられた回動板と、前記回動板又は固定板のいずれかに形成さたれ制御兼表示窓に自在に係脱しかつ前記固定板又は回動板のいずれかに形成された案内部に設けられた前記可動識別手段とから成り、前記回動板が前記操作部材の操作力により連結軸を介して所定量回転すると、前記可動識別手段の可動識別子が前記制御兼表示窓に係入して、その先端部が前記制御兼表示窓から若干突出するように前記連結軸の方向に位置変位する。
【産業上の利用可能性】
【００２９】
本発明は、錠前や建具の分野で用いられる。
【符号の説明】
【００３０】
Ｘ…表示錠、１…室内扉、１ａ…外壁面、２…錠箱、３…室内側操作部材、４…透明カバー、５…取付けベース板、９…連結軸、１０…解錠用操作軸、１１、１１Ａ、１１Ｂ…表示部材、１２、１２Ｂ…固定板、１２ａ…浅い凹部、１３、１３Ｂ…案内部、７、１４、１４Ｂ、２３、２３Ｂ…軸用孔、１６…固定板用固定手段、２１、２１Ｂ…回動板、２２、２２Ｂ…制御兼表示窓、３１…可動識別手段、３２…付勢バネ、３３…施錠状態を示す可動識別子、３４…解錠状態を示す識別子、３３ａ（３４ａ）…フランジ、４１、４１Ｂ…透明カバー、４３、４４…受け入れ凹所。
【図１】
2011084901.tif 000003
【図２】
2011084901.tif 000004
【図３】
2011084901.tif 000005
【図４】
2011084901.tif 000006
【図５】
2011084901.tif 000007
【図６】
2011084901.tif 000008
【図７】
2011084901.tif 000009
【図８】
2011084901.tif 000010
【図９】
2011084901.tif 000011
【図１０】
2011084901.tif 000012
【図１１】
2011084901.tif 000013
【図１２】
2011084901.tif 000014